(57)【要約】      （修正有）【課題】掌中に把持する物体として正多面体（例えば正１２面体）を採用するとともに、正多面体の各面部を順次指先で押圧することにより発光作用を行わせるようにして、指の押圧感覚と発光部位の変化とにより頭脳の活性化をもたらせるようにした発光式多面体ブロックを提供する。【解決手段】掌中に把持しうる大きさの殻体としての正多面体のブロックにおいて、各面部１には、同面部１の１つを押圧することにより他の面部１で発光する電気回路が内蔵されており、各面部１がすべて押圧されると、同面部１における発光体が一斉に点滅したり面部１が振動したりして、操作の完了を告知するように構成されている。【選択図】図１
0003115689.tif 000002
【実用新案登録請求の範囲】
【請求項１】
正多面体型の殻体としてのブロックを形成する正多角形の半透明材質からなる各面部において、同面部の外側からの押圧により閉じるスイッチと、同スイッチが閉じるのに対応して特定の上記面部で通電により発光する発光体とが設けられていることを特徴とする、発光式多面体ブロック。
【請求項２】
上記発光体が発光ダイオードとして設けられていることを特徴とする、請求項１に記載の発光式多面体ブロック。
【請求項３】
上記正多面体型の殻体としてのブロックにおいて、同ブロックの外面を形成する面部のすべてが順次押圧される操作を終了した際に、その終了を告知する終了告知手段が設けられたことを特徴とする、請求項１または２に記載の発光式多面体ブロック。
【請求項４】
上記正多面体型の殻体としてのブロックの内部に上記押圧式スイッチを介して内接する補強用球体が設けられていることを特徴とする、請求項１〜３のいずれか１つに記載の発光式多面体ブロック。
【請求項５】
上記正多面体型の殻体としてのブロックにおける一部の面部が、開閉蓋として構成されていることを特徴とする、請求項１〜４のいずれか１つに記載の発光式多面体ブロック。
【考案の詳細な説明】
【技術分野】
【０００１】
本考案は、掌中に把持してもてあそびながら頭脳の活性化に寄与できるようにした発光式多面体ブロックに関する。
【背景技術】
【０００２】
従来、頭脳の活性化をもたらす手段として、クルミなどの殻体を複数個握りしめて動かしながら、軋み音を発生させることが行われているが、このような手段では周囲の人に音響を与えて迷惑をかける恐れがある。また、操作が単純なため、飽きてしまうという不具合もある。
【考案の開示】
【考案が解決しようとする課題】
【０００３】
本考案は、掌中に把持する物体として正多面体（例えば正１２面体）を採用するとともに、正多面体を掌中で回動させながら、その各面部を順次指先で押圧することにより発光作用を行わせるようにして、指の押圧感覚と発光部位の変化とにより頭脳の活性化をもたらせるようにした発光式多面体ブロックを提供することを課題とする。
【課題を解決するための手段】
【０００４】
本考案の発光式多面体ブロックは、正多面体型の殻体としてのブロックを形成する正多角形の半透明材質からなる各面部において、同面部の外側からの押圧により閉じるスイッチと、同スイッチが閉じるのに対応して特定の上記面部で通電により発光する発光体とが設けられていることを特徴としている。
【０００５】
また、本考案の発光式多面体ブロックは、上記発光体が発光ダイオードとして設けられていることを特徴としている。
【０００６】
さらに、本考案の発光式多面体ブロックは、上記正多面体型の殻体としてのブロックにおいて、同ブロックの外面を形成する面部のすべてが順次押圧される操作を終了した際に、その終了を告知する終了告知手段が設けられたことを特徴としている。
【０００７】
また、本考案の発光式多面体ブロックは、上記正多面体型の殻体としてのブロックの内部に上記押圧式スイッチを介して内接する補強用球体が設けられていることを特徴としている。
【０００８】
さらに、本考案の発光式多面体ブロックは、上記正多面体型の殻体としてのブロックにおける一部の面部が、開閉蓋として構成されていることを特徴としている。
【考案の効果】
【０００９】
上述の本考案の発光式多面体ブロックでは、正多面体型の殻体としてのブロックの各面部の内側に、押圧により閉じるスイッチが設けられて、同スイッチが閉じるのに伴い他の面部で通電により発光する発光体が設けられているので、上記ブロックを掌中に保持して指先で回動させながら任意の面部から順次各面部を押圧してゆくことにより、発光を楽しみながら頭脳の活性化をもたらすことができる。
【００１０】
また、上記発光体が発光ダイオードとして設けられていると、消費電力が少なくなるほか、耐久性が増すという効果が得られる。
【００１１】
そして、上記面部のすべてが順次押圧される操作を終了した際に、光の点滅やバイブレーション（振動）などにより、その終了が告知されるようになっていると、操作の一段落を確認しやすくなる利点が得られる。
【００１２】
さらに、上記正多面体型の殻体としてのブロックの内部に上記押圧式スイッチを介して内接する補強用球体が設けられていると、上記各面部を順次押圧する動作が激しく行われても、上記球体の剛性により、その耐久性を十分に維持することが可能になる。
【００１３】
また、上記正多面体型の殻体としてのブロックにおける一部の面部が開閉蓋として構成されることにより、上記発光体の電源としての電池の交換や、内部の点検などの際の利便性が大幅に高められるようになる。
【実施例】
【００１４】
図１は本考案の一実施例としての発光式多面体ブロックを示す立面図、図２は図１のＡ−Ａ矢視断面図、図３は上記発光式多面体ブロックにおける一例としての配線図、図４は上記ブロックを他の方向から見た立面図である。
【００１５】
図１に示すように、本実施例の発光式多面体ブロックは、掌中に把持しうる大きさの殻体としての正１２面体型の形状を有し、その各面部１は、種々の色の半透明材質からなる正５角形板として形成されている。
【００１６】
そして、図２に示すように、各面部１の外側からの押圧により閉じるスイッチ２と、同スイッチ２が閉じるのに対応して特定の面部１（例えば図４において押圧した面部１Ａの反対側の面部１Ｂ）で通電により発光する発光体（例えば豆電球または発光ダイオード）３が設けられている。
【００１７】
また、本実施例の発光式多面体ブロックでは、図３に示すように、各面部におけるスイッチ２と発光体３との間に、電池４に接続されたシーケンス制御器５を介在させることにより、この殻体としてのブロックの外面を形成する各面部１のすべてが順次押圧される操作を終了した際に、その終了を各面部１における発光体３の一斉点滅または図示しないバイブレーターによる面部１の振動などで告知できように構成されており、その告知作用が例えば３秒間継続すると自動的に終了する。
【００１８】
さらに、本実施例の発光式多面体ブロックでは、正多面体型のブロックにおいて、図２に示すように、同ブロックにおける面部１の内側にバネ２ａに抗して閉じることの可能な押圧式スイッチ２を介し内接する補強用球体６が設けられている。
【００１９】
そして、図１に示すごとく、正多面体型ブロックにおける一部の面部１ａが、ヒンジ１ｂを介して開閉しうる開閉蓋として構成されている。
【００２０】
上述の本実施例の発光式多面体ブロックでは、正多面体型の殻体としてのブロックの各面部１の内側に、押圧により閉じるスイッチ２が設けられて、同スイッチ２が閉じるのに伴い他の面部１で通電により発光する発光体３が設けられているので、上記ブロックを掌中に保持して指先で回動させながら任意の面部１から順次各面部１を押圧してゆくことにより、発光を楽しみながら頭脳の活性化をもたらすことができる。
【００２１】
また、発光体３が発光ダイオードとして設けられていると、消費電力が少なくなるほか、耐久性が増すという効果が得られる。
【００２２】
そして、面部１のすべてが順次押圧される操作を終了した際に、光の点滅やバイブレーションなどにより、その終了が告知されるようになっているので、操作の一段落を確認しやすくなる利点が得られる。
【００２３】
さらに、上記正多面体型の殻体としてのブロックの内部に押圧式スイッチ２を介して内接する補強用球体６が設けられているので、各面部１を順次押圧する動作が激しく行われても、球体６の剛性により、その耐久性を十分に維持することが可能になる。
【００２４】
また、上記正多面体型の殻体としてのブロックにおける一部の面部１ａが開閉蓋として構成されるので、発光体３の電源としての電池４の交換や、内部の点検などの際の利便性が大幅に高められるようになる。
【００２５】
なお、上述の実施例では、ブロックとして、正１２面体が用いられているが、他の正多面体を用いるようにしてもよい。
【図面の簡単な説明】
【００２６】
【図１】本考案の一実施例としての発光式多面体ブロックを示す立面図である。
【図２】図１のＡ−Ａ矢視断面図である。
【図３】上記発光式多面体ブロックにおける一例としての配線図である。
【図４】上記ブロックを他の方向から見た立面図である。
【符号の説明】
【００２７】
１，１ａ，１Ａ，１Ｂ  面部
１ｂ  ヒンジ
２  スイッチ
２ａ  バネ
３  発光体
４  電池
５  シーケンス制御器
６  球体
【図１】
0003115689.tif 000003
【図２】
0003115689.tif 000004
【図３】
0003115689.tif 000005
【図４】
0003115689.tif 000006
【手続補正書】
【提出日】平成17年8月17日(2005.8.17)
【手続補正１】
【補正対象書類名】図面
【補正対象項目名】図２
【補正方法】変更
【補正の内容】
【図２】
0003115689.tif 000007